(57)【要約】【課題】園芸商品にその育成環境を基にした売価情報を付加しコンピュータで読み込み商品価値に合致した適正価格を決定する【解決手段】生産現場では園芸商品にその育成環境を考慮した売価情報をバーコードなどの読み取り可能なコードデータで園芸商品に付加し、販売現場ではそのデータをコンピュータで読取り日々変化する適正価格決定に利用する。【選択図】図１
2007265374.tif 000002
【特許請求の範囲】
【請求項１】
鉢花、花苗、観葉植物等時間経過と共に生育・鮮度状態・販売動向が変化する園芸商品の適正売価を決定する仕組みであって、それぞれの園芸商品には種類ごとに生育・鮮度状態・販売動向を基に日数の経過で売価を変更する為の基本データが定義・格納されており、例えば基本データはバーコード等の読み取り可能なコードデータでコード化され商品札として園芸商品に取り付けられ、販売現場ではその商品札の基本データをリーダーで読み取りコンピュータに入力することでコンピュータが園芸商品の生育、鮮度状態・販売動向を判断し園芸商品の商品価値に合致した適正売価を決定するようにしたことを特徴とする園芸商品の適正売価決定・完売支援システム。
【請求項２】
販売現場のコンピュータは入力された基本データを基にそれぞれの現場の温度・湿度・日照時間・水やり等の関連情報も加味し、適正売価変更の時期を調整しより最適化した売価を設定するようにしたことを特徴とする特許請求項１対応の園芸商品の適正売価決定・完売支援システム。
【請求項３】
販売現場の環境で売価変更の調整がされた時、その情報が例えばインターネット等の通信機能で園芸商品の販売元のコンピュータへも還元するようにし、実際の売価情報が販売店と販売元とで共有できるようにしたことを特徴とする請求項２記載の園芸商品の適正売価決定・完売支援システム。
【発明の詳細な説明】
【技術分野】
【０００１】  本発明は鉢花、花苗、観葉植物等の成長または寿命により商品価値が変動し、また完売するには日々変化する商品状態を見極めながら随時適正売価を決定しなければならない園芸商品の最適売価を決定する完売支援システムに関する提案である。
【背景技術】
【０００２】  従来の園芸商品売価改変は各小売店舗の販売員の目視によって行われ、その結果値下げの時期が遅れたりまた値下げされず当初の価格で放置され売れ残りになる物が多かった。また小売店側では園芸商品の成長環境の産地情報が一切無い為、開花の時期等商品寿命の予測がなかなか出来ず園芸商品の売れ残りは大きな課題となっていた。
【発明の開示】
【発明が解決しようとする課題】
【０００３】  適正売価設定がなされず大量に発生していた園芸商品の売れ残りを無くする。
【課題を解決するための手段】
【０００４】  本発明は園芸商品の生産地での育成環境を基にその園芸商品の商品価値劣化を予め予測し、その情報を元に売価情報を決め園芸商品納入時に商品に読み取り可能なコードデータとして付加させ販売現場のコンピュータに入力されることで販売現場ではコンピュータから商品劣化の前に適正な価格を受け取り的確な販売管理が実現する。【０００５】  コンピュータに入力された売価情報を基に実際の販売現場の温湿度等の園芸商品保管条件を追加し販売現場の適性価格決定システムはコンピュータで管理され運用される。
【発明の効果】
【０００６】  園芸商品の劣化を前もって予測し販売店の値付けに反映させ小売販売店ではその情報をコンピュータに入力し売価管理をする為、これまでの目視管理等人による曖昧で煩雑な業務が無くなり、確実に価格改定が行われ園芸商品の売れ残りを防止することが出来る。【０００７】  販売現場では生産地の状況を基に温湿度や日照等の実際の保管環境も加味し商品劣化をより高い精度で予測できる為、適正時期に高精度の価格改定を行うことができるようになり、その結果売れ残りを防止することが出来る。【０００８】  インターネット等のネットワークを利用し園芸商品の元売側・生産側と小売側とがコンピュータによるデータ通信が可能となり、販売現場の実際売価が元売・生産側にも共通情報として送られるため、本システム運用時細かい価格改定で煩雑になる売り上げ管理が確実・容易となる。
【発明を実施するための最良の形態】
【０００９】  特許請求項１対応の実施の形態を図１図２図３図４を参照し説明する。【００１０】  園芸商品１の生産現場ではそれまでの商品の平均気温・日照時間・肥料の配合等の栽培条件からその商品の開花時期・花もち・葉もちの条件を予測し商品札３に値下げの時期・値下げ額等をバーコード等の読み取り可能なコードデータ２として付加する。【００１１】  販売現場では商品札３のコードデータ２をリーダー６で読み取りコンピュータ７に入力する。コンピュータ７にはタイマー機能が付加されており、入力された売価情報４を基に日数の経過情報を加味し商品価値に合った最適売価を随時決定し販売店に指示する。【００１２】  販売現場では、コンピュータ７の指示に従い園芸商品１の表示価格８を改定して行く。【００１３】  特許請求項２対応の実施の形態を図１図２図３図４を参照し説明する。
売価情報４は園芸商品１の種類ごとに気温、日照、水やり、肥料等の育成環境によって決定しコード化され商品札３に付加されるが、園芸商品１が小売店に陳列された後は開花・花もちは現場の温湿度に大きく依存する。【００１４】  コンピュータ７には販売現場の保管環境を測定する温湿度センサー９が接続され、そのデータは予めインプットされた売価情報４の価格の値下げ・値上げ時期に加味され価格改定を調整する。【００１５】  販売元コンピュータ１０はインターネット１１を介しコンピュータ７と接続されデータ通信が可能となっていて、販売現場での実際の売値等が販売元コンピュータ１０にも転送され、販売元でも売上額や販売傾向・売残状況などが把握できるようになっている。その販売現場のデータは再度価格情報４の設定に還元され補正されより高い精度のシステムが確立される。
【実施例】
【００１６】  実施例を図１、図２、図３、図４を参照し説明する。
園芸商品１は花や葉の美しさを楽しむものが殆どであり、植物本体は通常屋外又は温室等の畑の環境で適度な温度・水やり・肥料等で成長が管理され栽培される。
ある程度花や葉の成長が成熟すると、鉢に植え替えられ園芸商品１として販売店へ搬送され商品として陳列される。【００１７】  商品札３は例えば細い針金５によって園芸商品１に固定される札であり、商品名や表示価格８等の基本情報が付加される。また商品札３には種類ごとに畑での育成条件を考慮した開花情報や花持ち又は販売現場での保管条件等に基づく売価情報４がバーコード２や二次元コード１２で印刷され格納されており、それらは販売現場のリーダー６により読取られそのコードデータはコンピュータ７に入力されるようになっている。【００１８】  売価情報４は基本的に商品コード・納品日・値下データ等が格納されており、その情報がコンピュータ７に入力されると、コンピュータ７はその入力情報に基づき内部にあるタイマー機能で日数をカウントダウンし所定の日数に達すると商品に対応した販売価格変更の指示が示される。【００１９】  コンピュータ７で販売価格の変更指示があった園芸商品１はその都度価格が改定され、開花の状況に合った価格が設定される。例えば花の例ではつぼみ状態を基準売価の１００％、開花率３０％時を１２０％、開花率５０％時を１００％、開花率７０％時を８０％、開花率１００％時を基準売価の５０％のようにし、その目標に合うように売価情報４が設定され、所定の日数経過に対応し価格が改変される。【００２０】  売価情報の格納は例えば２次元コード１２のような大容量のコードを使用することにより商品コードデータの大型化や日本語英語等の直接入力が可能となり、かつ現場の汚れによるコード読取不良等の問題に対し信頼性を向上させることが出来る。【００２１】  別の実施例を図１、図２、図３、図４を参照し説明する。
販売現場のコンピュータ７には温湿度センサー９が接続され、各園芸商品１の保管現場の環境がコンピュータに入力され管理される。【００２２】  基データである売価情報４は園芸商品１の育成環境から商品の開花時期・花持ち等を予測したデータで大まかな売価管理はそれで十分行える。しかし殆どの園芸商品の花持ち日数は現場の温湿度により変化しより精度の高い売価管理をするにはそれらを考慮する必要がある。【００２３】  販売現場のコンピュータ７は商品札３に付加された売価情報４を基に、現場の温室度の環境を加味し売価変更時期を補正し販売現場の管理者に知らせる。【００２４】  別の実施例を図４を参照し説明する。
現場のコンピュータ７と販売元コンピュータ１０とはインターネット１１で接続され互いにデータ交換が可能となっている。実際の現場での売価情報は一時コンピュータ７で一日の集計がなされた後、販売元コンピュータ１０に転送される。
販売元ではその実際売価を基に販売現場（小売店）への売上げを算出し、またその販売実績データは売価情報４の決定プロセスに還元され組み込まれ、売価変更の精度をより高める為に利用される。
【図面の簡単な説明】
【図１】  本発明による実施例の図である。
【図２】  図１の部分拡大図である。
【図３】  本発明による別の実施例である。
【図４】  発明による別の実施例である。
【符号の説明】
１．  園芸商品
２．  バーコード
３．  商品札
４．  売価情報
５．  針金
６．  リーダー
７．  コンピュータ
８．  表示価格
９．  温湿度センサー
１０．販売元コンピュータ
１１．インターネット
１２．２次元コード
【図１】
2007265374.tif 000003
【図２】
2007265374.tif 000004
【図３】
2007265374.tif 000005
【図４】
2007265374.tif 000006